(57)【要約】【課題】  製品形態や仕様の異なる様々な端末装置での表示に適切に対応させた地図データを提供することができる情報提供装置を提供すること。【解決手段】  ネットワーク１２を介して地図データをユーザ端末１、３１、４１へ提供する機能を有するサーバ２１であって、各種ユーザ端末での表示に対応可能な基準地図データを記憶する地図ＤＢ２４と、各ユーザ端末から、該ユーザ端末の表示部の仕様に関する情報を含むユーザ情報の登録を受け付ける登録受付手段２２ａと、登録が受け付けられたユーザ情報を記憶するユーザ情報ＤＢ２５と、ユーザ情報ＤＢ２５に登録されているユーザ端末から、地図データの要求を受け付けた場合、基準地図データをユーザ端末の表示部の仕様に対応させた地図データに加工する地図データ加工手段２２ｃと、地図データ加工手段２２ｃにより加工された地図デ−タを、地図を要求してきたユーザ端末へ送信する地図データ送信手段２２ｄとを装備する。【選択図】  図１
2006323466.tif 000002
【特許請求の範囲】
【請求項１】
ネットワークを介して地図データを端末装置へ提供する機能を有する情報提供装置であ
って、
各種端末装置での表示に対応可能な基準地図データを記憶する地図データ記憶手段と、
各ユーザの端末装置から、該端末装置の表示部の仕様に関する情報を含むユーザ情報の
登録を受け付ける登録受付手段と、
前記登録が受け付けられた前記ユーザ情報を記憶するユーザ情報記憶手段と、
該ユーザ情報記憶手段に登録されているユーザの端末装置から、地図データの要求を受
け付けた場合、前記基準地図データを前記ユーザの端末装置の表示部の仕様に対応させた
地図データに加工する地図データ加工手段と、
該地図データ加工手段により加工された地図デ−タを前記ユーザの端末装置へ送信する
地図データ送信手段とを備えていることを特徴とする情報提供装置。
【請求項２】
ネットワークを介して地図データを端末装置へ提供する機能を有する情報提供装置であ
って、
各種端末装置での表示に対応可能な基準地図データを記憶する地図データ記憶手段と、
ある端末装置から、該端末装置の表示部の仕様に関する情報とともに、地図データの要
求を受け付けた場合、前記基準地図データを前記ある端末装置の表示部の仕様に対応させ
た地図データに加工する地図データ加工手段と、
該地図データ加工手段により加工された地図デ−タを前記ある端末装置へ送信する地図
データ送信手段とを備えていることを特徴とする情報提供装置。
【請求項３】
ネットワークを介して地図データを端末装置へ提供する機能を有する情報提供装置であ
って、
各種端末装置での表示に対応可能な基準地図データを記憶する地図データ記憶手段と、
各種端末装置の機種名と表示部の仕様とを含む端末情報を記憶する端末情報記憶手段と
、
各ユーザの端末装置から、該端末装置の機種名を含むユーザ情報の登録を受け付ける登
録受付手段と、
前記登録が受け付けられた前記ユーザ情報を記憶するユーザ情報記憶手段と、
該ユーザ情報記憶手段に登録されているユーザの端末装置から、地図データの要求を受
け付けた場合、前記ユーザの端末装置に該当する前記端末情報を前記端末情報記憶手段か
ら抽出する端末情報抽出手段と、
抽出された前記ユーザの端末装置に該当する前記端末情報に基づいて、前記基準地図デ
ータを前記ユーザの端末装置に対応させた地図データに加工する地図データ加工手段と、
該地図データ加工手段により加工された地図デ−タを前記ユーザの端末装置へ送信する
地図データ送信手段とを備えていることを特徴とする情報提供装置。
【請求項４】
ネットワークを介して地図データを端末装置へ提供する機能を有する情報提供装置であ
って、
各種端末装置での表示に対応可能な基準地図データを記憶する地図データ記憶手段と、
各種端末装置の機種名と表示部の仕様とを含む端末情報を記憶する端末情報記憶手段と
、
ある端末装置から、該端末装置の機種名情報とともに、地図データの要求を受け付けた
場合、前記ある端末装置に該当する前記端末情報を前記端末情報記憶手段から抽出する端
末情報抽出手段と、
前記抽出された前記ある端末装置に該当する前記端末情報に基づいて、前記基準地図デ
ータを前記ある端末装置に対応させた地図データに加工する地図データ加工手段と、
該地図データ加工手段により加工された地図デ−タを前記ある端末装置へ送信する地図
データ送信手段とを備えていることを特徴とする情報提供装置。
【請求項５】
前記端末情報記憶手段に記憶される前記端末情報を更新する端末情報更新手段を備えて
いることを特徴とする請求項３又は請求項４記載の情報提供装置。
【請求項６】
前記地図データ加工手段が、前記端末装置の表示部の仕様、又は前記端末装置の製品形
態別に応じて設定された地図データの加工条件に基づいて、前記基準地図データを加工す
るものであることを特徴とする請求項１〜５のいずれかの項に記載の情報提供装置。
【請求項７】
前記ユーザ情報に、地図データの加工条件の設定情報が含まれている場合、
前記地図データ加工手段が、前記地図データの加工条件の設定情報を加味して、前記基
準地図データを加工するものであることを特徴とする請求項１又は請求項３記載の情報提
供装置。
【請求項８】
各ユーザの端末装置から、地図データの加工条件の設定変更を受け付ける設定変更受付
手段を備え、
前記地図データの加工条件の設定変更を受け付けた場合、前記地図データ加工手段が、
前記地図データの加工条件の設定変更を加味して、前記基準地図データを加工するもので
あることを特徴とする請求項１又は請求項３記載の情報提供装置。
【請求項９】
前記地図データの加工条件には、地図表示内容の詳細レベルの設定条件、地図に表示さ
せる表示物の設定条件、地図に表示させる表示物の色の設定条件うちの少なくとも１つが
含まれていることを特徴とする請求項７又は請求項８記載の情報提供装置。
【請求項１０】
前記地図に表示される表示物の色の設定条件には、時間帯によって表示物の色を変化さ
せるための設定条件が含まれていることを特徴とする請求項９記載の情報提供装置。
【請求項１１】
前記端末装置が、ナビゲーション装置である場合、                                
前記地図データの加工条件には、前記ナビゲーション装置から取得した履歴情報を地図
に反映させるか否かの設定条件が含まれていることを特徴とする請求項７〜１０のいずれ
かの項に記載の情報提供装置。
【請求項１２】
請求項１、３、７、８のいずれかの項に記載の情報提供装置とネットワークを介して通
信する機能を有する端末装置であって、
前記情報提供装置に対して、当該端末装置の表示部の仕様に関する情報を含むユーザ情
報の登録を要求する登録要求手段と、                                              
前記情報提供装置に対して、所望の地図データを要求する地図要求手段と、
該地図要求手段による要求に対して前記情報提供装置から送信されてくる、当該端末装
置の表示部の仕様に合わせて加工された地図データを受信する地図データ受信手段とを備
えていることを特徴とする端末装置。
【請求項１３】
請求項１、３、７、８のいずれかの項に記載の情報提供装置とネットワークを介して通
信する機能を有する端末装置であって、
前記情報提供装置に対して、当該端末装置の機種名を含むユーザ情報の登録を要求する
登録要求手段と、                                                                
前記情報提供装置に対して、所望の地図データを要求する地図要求手段と、
該地図要求手段による要求に対して前記情報提供装置から送信されてくる、当該端末装
置の機種に合わせて加工された地図データを受信する地図データ受信手段とを備えている
ことを特徴とする端末装置。
【請求項１４】
請求項２又は請求項４記載の情報提供装置とネットワークを介して通信する機能を有す
る端末装置であって、
前記情報提供装置に対して、当該端末装置の表示部の仕様に関する入力情報とともに、
所望の地図データを要求する地図要求手段と、
該地図要求手段による要求に対して前記情報提供装置から送信されてくる、当該端末装
置の表示部の仕様に合わせて加工された地図データを受信する地図データ受信手段とを備
えていることを特徴とする端末装置。
【請求項１５】
請求項２又は請求項４記載の情報提供装置とネットワークを介して通信する機能を有す
る端末装置であって、
前記情報提供装置に対して、当該端末装置の機種名の入力情報とともに、所望の地図デ
ータを要求する地図要求手段と、
該地図要求手段による要求に対して前記情報提供装置から提供される、当該端末装置の
機種に合わせて加工された地図データを受信する地図データ受信手段とを備えていること
を特徴とする端末装置。
【請求項１６】
請求項１、３、７、８のいずれかの項に記載の情報提供装置と、
請求項１２又は請求項１３記載の端末装置とを含んで構成されていることを特徴とする
情報提供システム。
【請求項１７】
請求項２又は請求項４記載の情報提供装置と、
請求項１４又は請求項１５記載の端末装置とを含んで構成されていることを特徴とする
情報提供システム。
【請求項１８】
情報提供装置からネットワークを介して地図データを端末装置へ提供する情報提供方法
であって、
前記端末装置が、前記情報提供装置に対して、当該端末装置に関する情報を含むユーザ
情報の登録を要求するステップと、
前記情報提供装置が、前記端末装置から、該端末装置に関する情報を含むユーザ情報の
登録を受け付けた場合、該ユーザ情報をユーザ情報記憶手段に記憶するステップと、
前記端末装置が、前記情報提供装置に対して、所望の地図データを要求するステップと
、
前記情報提供装置が、前記ユーザ情報記憶手段に登録されている端末装置から、地図デ
ータの要求を受け付けた場合、地図データ記憶手段に記憶されている各種端末装置での表
示に対応可能な基準地図データを前記端末装置の仕様に対応させた地図データに加工する
ステップと、
該加工された地図デ−タを前記端末装置へ送信するステップと、
前記端末情報が、前記情報提供装置から送信されてくる、当該端末装置の仕様に対応し
た地図データを受信するステップとを含んでいることを特徴とする情報提供方法。
【請求項１９】
情報提供装置からネットワークを介して地図データを端末装置へ提供する情報提供方法
であって、
前記端末装置が、前記情報提供装置に対して、当該端末装置に関する情報を入力すると
ともに、所望の地図データを要求するステップと、
前記情報提供装置が、前記端末装置から、該端末装置に関する入力情報とともに、所望
の地図データの要求を受け付けた場合、地図データ記憶手段に記憶されている各種端末装
置での表示に対応可能な基準地図データを前記端末装置の仕様に対応させた地図データに
加工するステップと、
該加工された地図デ−タを前記端末装置へ送信するステップと、
前記端末装置が、前記情報提供装置から送信されてくる、当該端末装置の仕様に対応し
た地図データを受信するステップとを含んでいることを特徴とする情報提供方法。
【発明の詳細な説明】
【技術分野】
【０００１】
本発明は情報提供装置、端末装置、情報提供システム、及び情報提供方法に関し、より
詳細にはネットワークを介して地図データを端末装置へ提供する機能を有する情報提供装
置、該情報提供装置とネットワークを介して通信する機能を有する端末装置、これらを含
んで構成される情報提供システム、及び、情報提供方法に関する。
【背景技術】
【０００２】
近年では、端末装置をネットワーク（インターネット等）に接続し、該ネットワークを
介して地図データ提供サーバから地図データの提供を受けることができるようになってい
る。例えば、下記の特許文献１には、最新の地図データをナビゲーション装置で利用する
ために、パソコンを操作して、ネットワークを介して地図データ提供サーバにアクセスし
、該地図データ提供サーバから所望の地図データ、例えば全国版、西日本版といった最新
の地図データをダウンロードし、ダウンロードした最新の地図データをメモリカードに書
き込み、最新の地図データが書き込まれたメモリカードをナビゲーション装置に装着して
利用することができるシステムが開示されている。
【０００３】
特許文献１記載の地図データ提供サーバでは、パソコンからアクセスされたときに、所
定の地図データの要求コマンドであるか否かを判断し、地図データの要求コマンドである
ときは、地図データベースからそのコマンドにより指定された地図データを読み出し、該
読み出された地図データを、コマンドを送信してきたパソコンに対して送信するようにな
っている。
【０００４】
しかしながら、特許文献１記載の地図データ提供サーバは、ナビゲーション装置で利用
するための地図データを提供するサーバであるため、製品形態が異なる他の端末装置（例
えば、パソコン、ＰＤＡ（携帯情報端末）、携帯電話など）での表示に適した地図を提供
するようには構成されていない。
【０００５】
そのため、製品形態が異なる他の端末装置、例えば、携帯電話での表示に適した地図デ
ータの提供を受けようとした場合には、携帯電話用の別の地図データ提供サーバにアクセ
スして、地図データの提供を受けなければならない。しかしながら、ネットワークを介し
て地図データを提供する地図データ提供サーバ（地図提供サイト）は数多くあるため、そ
の中からユーザが用いる携帯電話などの端末での表示に適し、かつユーザが希望する形態
（表示内容等）の地図データを提供してくれる地図データ提供サーバをユーザが探し当て
るのは容易ではなく、希望する地図データを取得するのに手間がかかるといった課題があ
った。
【０００６】
また、別々の地図データ提供サーバから地図データの提供を受ける場合、通常、各地図
データ提供サーバで利用されている地図データのベースとなる地図形態（地図背景、表示
施設、表示道路の色や形状など）が異なるため、製品形態が異なる端末装置に対して、そ
れぞれベースが共通している地図データが提供されておらず、各種端末間でベースが共通
している地図の提供を受けることができないといった課題があった。
【０００７】
また、特許文献１記載の地図データ提供サーバは、コマンドにより指定された地図デー
タを地図データベースから読み出し、読み出された地図データをそのままパソコンへ送信
するようになっている。すなわち、地図データベースに記憶された地図データがそのまま
提供されるようになっており、コマンドにより指定された地図データを、さらに、各ユー
ザが用いる端末機種の表示部の仕様（すなわち、表示部の画面サイズ、表示画素数、表示
可能色などの表示性能）や、各ユーザの希望を反映させた形態に加工するようなことは行
われておらず、ダウンロードする地図データに、各ユーザが用いる端末機種の表示性能や
各ユーザの希望を反映させた地図データが提供されていないといった課題があった。
【特許文献１】特開２００２−４９６２４号公報
【発明の開示】
【課題を解決するための手段及びその効果】
【０００８】
本発明は上記課題に鑑みなされたものであって、製品の形態や性能の異なる様々な端末
装置での表示に適切に対応させた地図データを提供することができ、またユーザの要望に
も適切に対応させた地図データを提供することのできる情報提供装置、端末装置、情報提
供システム、及び情報提供方法を提供することを目的としている。
【０００９】
上記目的を達成するために本発明に係る情報提供装置（１）は、ネットワークを介して
地図データを端末装置へ提供する機能を有する情報提供装置であって、各種端末装置での
表示に対応可能な基準地図データを記憶する地図データ記憶手段と、各ユーザの端末装置
から、該端末装置の表示部の仕様に関する情報を含むユーザ情報の登録を受け付ける登録
受付手段と、前記登録が受け付けられた前記ユーザ情報を記憶するユーザ情報記憶手段と
、該ユーザ情報記憶手段に登録されているユーザの端末装置から、地図データの要求を受
け付けた場合、前記基準地図データを前記ユーザの端末装置の表示部の仕様に対応させた
地図データに加工する地図データ加工手段と、該地図データ加工手段により加工された地
図デ−タを前記ユーザの端末装置へ送信する地図データ送信手段とを備えていることを特
徴としている。
【００１０】
上記情報提供装置（１）によれば、前記各ユーザの端末装置から受け付けた、該端末装
置の表示部の仕様に関する情報を含むユーザ情報が、前記ユーザ情報記憶手段に登録され
、該登録されているユーザの端末装置から、地図データの要求を受け付けた場合、前記地
図データ加工手段により、前記基準地図データが前記ユーザの端末装置の表示部の仕様に
対応させた地図データに加工され、該加工された地図デ−タが前記ユーザの端末装置へ送
信される。
【００１１】
前記ユーザ情報には、前記端末装置の表示部の仕様に関する情報（例えば、画面サイズ
、表示画素数、表示可能色などの情報）が含まれているので、登録済のユーザの端末装置
から、地図データの要求を受け付けた場合、前記ユーザ情報から前記ユーザの端末装置の
表示部の仕様に関する情報を把握することができ、該表示部に仕様に関する情報に基づい
て、前記基準地図データを前記表示部の仕様に対応させた地図データに加工することがで
きる。したがって、製品の表示部の仕様が異なる各種端末装置に対して、これら各端末装
置の表示部の仕様に合わせた地図データを提供することができ、どのような端末装置に対
しても、ユーザの見やすい地図を提供することができる。
【００１２】
また、ユーザは、各種端末装置で利用する地図データを取得するために、それぞれ別々
の地図データ提供サーバを検索してアクセスを繰り返すといった手間が必要なくなり、ユ
ーザの利便性を向上させることができる。また、各種端末装置での表示に対応可能な基準
地図データをベースに使用しているので、前記各種端末装置に対して、ベースが共通して
いる地図データを提供することができ、製品の形態や仕様の異なる複数の端末装置で地図
データを利用するユーザにとっては、各種端末装置間で統一性のある見やすい地図データ
の提供を受けることが可能になる。なお、各種端末装置の対象には、携帯端末、ナビゲー
ション装置、パソコンなどの製品形態の異なる端末装置だけでなく、同一製品形態におけ
る製品仕様の異なる端末装置も含まれる。
【００１３】
また本発明に係る情報提供装置（２）は、上記情報提供装置（１）において、ネットワ
ークを介して地図データを端末装置へ提供する機能を有する情報提供装置であって、各種
端末装置での表示に対応可能な基準地図データを記憶する地図データ記憶手段と、ある端
末装置から、該端末装置の表示部の仕様に関する情報とともに、地図データの要求を受け
付けた場合、前記基準地図データを前記ある端末装置の表示部の仕様に対応させた地図デ
ータに加工する地図データ加工手段と、該地図データ加工手段により加工された地図デ−
タを前記ある端末装置へ送信する地図データ送信手段とを備えていることを特徴としてい
る。
【００１４】
上記情報提供装置（２）によれば、前記ある端末装置から、該端末装置の表示部の仕様
に関する情報とともに、地図データの要求を受け付けた場合、前記地図データ加工手段に
より、前記基準地図データが前記ある端末装置の表示部の仕様に対応させた地図データに
加工され、該加工された地図デ−タが前記ある端末装置へ送信される。したがって、前記
ある端末装置から、地図データの要求を受け付けた場合、該要求とともに送信されてくる
前記端末装置の表示部の仕様に関する情報に基づいて、前記基準地図データを前記表示部
の仕様に対応させた地図データに加工することができる。すなわち、製品の表示部の仕様
が異なる各種端末装置に対して、これら各端末装置の表示部の仕様に合わせた地図データ
を提供することができ、どのような端末装置に対しても、ユーザの見やすい地図を提供す
ることができる。
【００１５】
また、ユーザは、各種端末装置で利用する地図データを取得するために、それぞれ別々
の地図データ提供サーバを検索してアクセスを繰り返すといった手間が必要なくなり、ユ
ーザの利便性を向上させることができる。また、各種端末装置での表示に対応可能な基準
地図データをベースに使用しているので、前記各種端末装置に対して、ベースが共通して
いる地図データを提供することができ、各種端末装置間で統一性のある見やすい地図デー
タの提供を行うことができる。
【００１６】
また本発明に係る情報提供装置（３）は、上記情報提供装置（１）又は（２）において
、ネットワークを介して地図データを端末装置へ提供する機能を有する情報提供装置であ
って、各種端末装置での表示に対応可能な基準地図データを記憶する地図データ記憶手段
と、各種端末装置の機種名と表示部の仕様とを含む端末情報を記憶する端末情報記憶手段
と、各ユーザの端末装置から、該端末装置の機種名を含むユーザ情報の登録を受け付ける
登録受付手段と、前記登録が受け付けられた前記ユーザ情報を記憶するユーザ情報記憶手
段と、該ユーザ情報記憶手段に登録されているユーザの端末装置から、地図データの要求
を受け付けた場合、前記ユーザの端末装置に該当する前記端末情報を前記端末情報記憶手
段から抽出する端末情報抽出手段と、前記抽出された前記ユーザの端末装置に該当する前
記端末情報に基づいて、前記基準地図データを前記ユーザの端末装置に対応させた地図デ
ータに加工する地図データ加工手段と、該地図データ加工手段により加工された地図デ−
タを前記ユーザの端末装置へ送信する地図データ送信手段とを備えていることを特徴とし
ている。
【００１７】
上記情報提供装置（３）によれば、前記各ユーザの端末装置から受け付けた、該端末装
置の機種名を含むユーザ情報が、前記ユーザ情報記憶手段に登録され、該登録されている
ユーザの端末装置から、地図データの要求を受け付けた場合、前記ユーザの端末装置に該
当する前記端末情報が前記端末情報記憶手段から抽出され、該抽出された前記ユーザの端
末装置に該当する前記端末情報に基づいて、前記基準地図データが前記ユーザの端末装置
に対応させた地図データに加工され、該加工された地図デ−タが前記ユーザの端末装置へ
送信される。
【００１８】
前記ユーザ情報には、前記端末装置の機種名が含まれているので、登録済のユーザの端
末装置から、地図データの要求を受け付けた場合、前記ユーザ情報から前記ユーザの端末
装置の機種名を把握することができ、該機種名に該当する前記端末情報を前記端末情報記
憶手段から抽出することができ、抽出された前記端末情報（表示部に仕様等）に基づいて
、前記基準地図データを前記端末装置に対応させた地図データに加工することができる。
したがって、前記端末装置の機種名を含む前記ユーザ情報を登録しておくことで、各種端
末装置に対して、これら各端末装置の機種に合わせた地図データを提供することができ、
どのような端末装置に対しても、ユーザの見やすい地図を提供することができる。
【００１９】
また、ユーザは、各種端末装置で利用する地図データを取得するために、それぞれ別々
の地図データ提供サーバを検索してアクセスを繰り返すといった手間が必要なくなり、ユ
ーザの利便性を向上させることができる。また、各種端末装置での表示に対応可能な基準
地図データをベースに使用しているので、前記各種端末装置に対して、ベースが共通して
いる地図データを提供することができ、各種端末装置間で統一性のある見やすい地図デー
タの提供を行うことができる。
【００２０】
また本発明に係る情報提供装置（４）は、上記情報提供装置（１）〜（３）のいずれか
において、ネットワークを介して地図データを端末装置へ提供する機能を有する情報提供
装置であって、各種端末装置での表示に対応可能な基準地図データを記憶する地図データ
記憶手段と、各種端末装置の機種名と表示部の仕様とを含む端末情報を記憶する端末情報
記憶手段と、ある端末装置から、該端末装置の機種名情報とともに、地図データの要求を
受け付けた場合、前記ある端末装置に該当する前記端末情報を前記端末情報記憶手段から
抽出する端末情報抽出手段と、前記抽出された前記ある端末装置に該当する前記端末情報
に基づいて、前記基準地図データを前記ある端末装置に対応させた地図データに加工する
地図データ加工手段と、該地図データ加工手段により加工された地図デ−タを前記ある端
末装置へ送信する地図データ送信手段とを備えていることを特徴としている。
【００２１】
上記情報提供装置（４）によれば、前記ある端末装置から、該端末装置の機種名情報と
ともに、地図データの要求を受け付けた場合、前記ある端末装置に該当する前記端末情報
が、前記端末情報記憶手段から抽出され、該抽出された前記端末情報に基づいて、前記基
準地図データが前記ある端末装置に対応させた地図に加工され、該加工された地図デ−タ
が前記ある端末装置へ送信される。したがって、前記ある端末装置から、地図データの要
求を受け付けた場合、該要求とともに送信されてくる前記端末装置の機種名情報に基づい
て、前記端末情報記憶手段から該当する前記端末情報が抽出され、該抽出された前記端末
情報に基づいて、前記基準地図データを前記端末装置に対応させた地図データに加工する
ことができる。すなわち、各種端末装置に対して、これら各端末装置の機種に合わせた地
図データを提供することができ、どのような端末装置に対しても、ユーザの見やすい地図
を提供することができる。
【００２２】
また、ユーザは、各種端末装置で利用する地図データを取得するために、それぞれ別々
の地図データ提供サーバを検索してアクセスを繰り返すといった手間が必要なくなり、ユ
ーザの利便性を向上させることができる。また、各種端末装置での表示に対応可能な基準
地図データをベースに使用しているので、前記各種端末装置に対して、ベースが共通して
いる地図データを提供することができ、各種端末装置間で統一性のある見やすい地図デー
タの提供を行うことができる。
【００２３】
また本発明に係る情報提供装置（５）は、上記情報提供装置（３）又は（４）において
、前記端末情報記憶手段に記憶される前記端末情報を更新する端末情報更新手段を備えて
いることを特徴としている。
上記情報提供装置（５）によれば、前記端末情報更新手段により、前記端末情報記憶手
段に記憶される前記端末情報が更新されるので、前記端末情報を最新の情報に保つことが
でき、最新の端末装置に対応することが可能となる。
【００２４】
また本発明に係る情報提供装置（６）は、上記情報提供装置（１）〜（５）のいずれか
において、前記地図データ加工手段が、前記端末装置の表示部の仕様、又は前記端末装置
の製品形態別に応じて設定された地図データの加工条件に基づいて、前記基準地図データ
を加工するものであることを特徴としている。
【００２５】
上記情報提供装置（６）によれば、前記端末装置の表示部の仕様、又は前記端末装置の
製品形態別に応じて設定された地図データの加工条件に基づいて、前記基準地図データが
加工される。例えば、前記端末装置がナビゲーション装置の場合、前記地図データの加工
条件として、道路走行時に必要性の高い情報（表示内容）を優先的に残す等の加工条件を
設定することにより、ユーザが必要としている表示内容が含まれる地図を提供することが
できる。よって、前記端末装置の表示部の仕様、又は前記端末装置の製品形態別に応じて
、地図に表示させる表示物（例えば、施設、建物、文字、記号等）、地図の表示色（カラ
ー表示、減色表示）、及び表示データの間引き方を個別に設定しておくことにより、前記
端末装置の表示部の仕様、又は前記端末装置の製品形態に一層適した、ユーザにとって理
想的な地図データを提供することができる。
【００２６】
また本発明に係る情報提供装置（７）は、上記情報提供装置（１）又は（３）において
、前記ユーザ情報に、地図データの加工条件の設定情報が含まれている場合、前記地図デ
ータ加工手段が、前記地図データの加工条件の設定情報を加味して、前記基準地図データ
を加工するものであることを特徴としている。
【００２７】
上記情報提供装置（７）によれば、前記ユーザ情報に、地図データの加工条件の設定情
報が含まれている場合、前記地図データの加工条件の設定情報を加味して、前記基準地図
データが加工されるので、各ユーザの希望を反映させた形態に加工された地図データを各
端末装置へ提供することができる。
【００２８】
また本発明に係る情報提供装置（８）は、上記情報提供装置（１）又は（３）において
、各ユーザの端末装置から、地図データの加工条件の設定変更を受け付ける設定変更受付
手段を備え、前記地図データの加工条件の設定変更を受け付けた場合、前記地図データ加
工手段が、前記地図データの加工条件の設定変更を加味して、前記基準地図データを加工
するものであることを特徴としている。
【００２９】
上記情報提供装置（８）によれば、前記設定変更受付手段により、各ユーザの端末装置
から、必要に応じて地図データの加工条件の設定変更を受け付けることができ、該地図デ
ータの加工条件の設定変更を受け付けた場合、前記地図データの加工条件の設定変更を加
味して、前記基準地図データが加工されるので、各ユーザの希望を反映させた形態に加工
された地図データを各端末装置へ提供することができる。
【００３０】
また、前記地図データの加工条件の設定変更を受け付けた場合、前記ユーザ情報記憶手
段に前記地図データの加工条件の設定変更情報を登録する設定変更登録手段を装備させて
もよく、係る構成によれば、前記ユーザ情報記憶手段に前記地図データの加工条件の設定
変更情報が登録されるので、次回からの前記基準地図データの加工に反映させることがで
き、その都度、地図データの加工条件の設定変更を行う手間を省くことができる。
【００３１】
また本発明に係る情報提供装置（９）は、上記情報提供装置（７）又は（８）において
、前記地図データの加工条件には、地図表示内容の詳細レベルの設定条件、地図に表示さ
せる表示物の設定条件、地図に表示させる表示物の色の設定条件うちの少なくとも１つが
含まれていることを特徴としている。
【００３２】
上記情報提供装置（９）によれば、前記地図データの加工条件に、地図表示内容の詳細
レベルの設定条件が含まれている場合、ユーザが希望する地図表示内容のレベル（表示内
容が豊富な詳細地図から表示内容を減らした概略地図）に対応した地図データを提供する
ことができる。また、地図に表示させる表示物の設定条件が含まれている場合は、ユーザ
が必要とする表示物（施設、建物、文字、記号等）を優先して表示させた地図データを提
供することができる。また、地図に表示させる表示物の色の設定条件が含まれている場合
は、ユーザの好みに応じて表示物の色が設定された地図データを提供することができる。
【００３３】
また本発明に係る情報提供装置（１０）は、上記情報提供装置（９）において、前記地
図に表示される表示物の色の設定条件には、時間帯によって表示物の色を変化させるため
の設定条件が含まれていることを特徴としている。
【００３４】
上記情報提供装置（１０）によれば、前記地図に表示される表示物の色の設定条件には
、時間帯によって表示物の色を変化させるための設定条件が含まれているので、例えば、
地図に表示される施設を、その施設の営業時間に合わせて色を変更させた地図データを提
供することができ、ユーザにとって知りたい情報が得られる形態の地図データを提供する
ことができる。
【００３５】
また本発明に係る情報提供装置（１１）は、上記情報提供装置（７）〜（１０）のいず
れかにおいて、前記端末装置が、ナビゲーション装置である場合、前記地図データの加工
条件には、前記ナビゲーション装置から取得した履歴情報を地図に反映させるか否かの設
定条件が含まれていることを特徴としている。
【００３６】
上記情報提供装置（１１）によれば、前記端末装置が、ナビゲーション装置である場合
、前記地図データの加工条件には、前記ナビゲーション装置から取得した履歴情報を地図
に反映させるか否かの設定条件が含まれているので、例えば、前記履歴情報を地図に反映
させる設定が行われた場合、目的地の設定履歴や、過去の走行履歴などの情報を、表示さ
せる地図に反映させる（例えば、過去に走行した履歴のある道路の色を変えたりする）こ
とができ、ユーザが過去に走行した道や目的地に設定した場所などが分かる地図データを
提供することができる。
【００３７】
また本発明に係る端末装置（１）は、上記情報提供装置（１）、（３）、（７）、（８
）のいずれかとネットワークを介して通信する機能を有する端末装置であって、前記情報
提供装置に対して、当該端末装置の表示部の仕様に関する情報を含むユーザ情報の登録を
要求する登録要求手段と、前記記情報提供装置に対して、所望の地図データを要求する地
図要求手段と、該地図要求手段による要求に対して前記情報提供装置から送信されてくる
、当該端末装置の表示部の仕様に合わせて加工された地図データを受信する地図データ受
信手段とを備えていることを特徴としている。
【００３８】
上記端末装置（１）によれば、前記情報提供装置に対して、当該端末装置の表示部の仕
様に関する情報を含むユーザ情報を予め登録しておけば、地図データを要求する際に、当
該端末装置の表示部の仕様に関する情報の入力を行わなくても、前記情報提供装置から、
当該端末装置の表示部の仕様に合わせて加工された地図データを受信することができ、所
望の地図データの取得に要する操作を簡略化させることができる。                    
【００３９】
また本発明に係る端末装置（２）は、上記情報提供装置（１）、（３）、（７）、（８
）のいずれかとネットワークを介して通信する機能を有する端末装置であって、前記情報
提供装置に対して、当該端末装置の機種名を含むユーザ情報の登録を要求する登録要求手
段と、前記情報提供装置に対して、所望の地図データを要求する地図要求手段と、該地図
要求手段による要求に対して前記情報提供装置から送信されてくる、当該端末装置の機種
に合わせて加工された地図データを受信する地図データ受信手段とを備えていることを特
徴としている。
【００４０】
上記端末装置（２）によれば、前記情報提供装置に対して、当該端末装置の機種名を含
むユーザ情報を予め登録しておけば、地図データを要求する際に、当該端末装置の機種名
の入力を行わなくても、前記情報提供装置から、当該端末装置の機種に合わせて加工され
た地図データを受信することができ、所望の地図データの取得に要する操作を簡略化させ
ることができる。
【００４１】
また本発明に係る端末装置（３）は、上記情報提供装置（２）又は（４）とネットワー
クを介して通信する機能を有する端末装置であって、前記情報提供装置に対して、当該端
末装置の表示部の仕様に関する入力情報とともに、所望の地図データを要求する地図要求
手段と、該地図要求手段による要求に対して前記情報提供装置から送信されてくる、当該
端末装置の表示部の仕様に合わせて加工された地図データを受信する地図データ受信手段
とを備えていることを特徴としている。
【００４２】
上記端末装置（３）によれば、前記情報提供装置に対して、当該端末装置の表示部の仕
様に関する情報を予め登録しなくても、地図データの提供を受けるときに、当該端末装置
の表示部の仕様に関する入力情報とともに、所望の地図データを要求すれば、前記情報提
供装置から、当該端末装置の表示部の仕様に合わせて加工された地図データを受信するこ
とができる。
【００４３】
また本発明に係る端末装置（４）は、上記情報提供装置（２）又は（４）とネットワー
クを介して通信する機能を有する端末装置であって、前記情報提供装置に対して、当該端
末装置の機種名の入力情報とともに、所望の地図データを要求する地図要求手段と、該地
図要求手段による要求に対して前記情報提供装置から提供される、当該端末装置の機種に
合わせて加工された地図データを受信する地図データ受信手段とを備えていることを特徴
としている。
【００４４】
上記端末装置（４）によれば、前記情報提供装置に対して、当該端末装置の機種名を予
め登録しなくても、地図データの提供を受けるときに、当該端末装置の機種名の入力情報
とともに、所望の地図データを要求すれば、前記情報提供装置から、当該端末装置の機種
に合わせて加工された地図データを受信することができる。
【００４５】
また本発明に係る情報提供システム（１）は、上記情報提供装置（１）、（３）、（７
）、（８）のいずれかと、上記端末装置（１）又は（２）とを含んで構成されていること
を特徴としている。
上記情報提供システム（１）によれば、上記情報提供装置（１）、（３）、（７）、（
８）のいずれかと、上記端末装置（１）又は（２）とを含んで構成されているので、上記
情報提供装置（１）、（３）、（７）、（８）における上記した効果と、上記端末装置（
１）、（２）における上記した効果をと有する、すなわち、ユーザにとってより理想的な
地図データを提供することができ、ユーザ側の利便性が高められた情報提供システムを構
築することができる。
【００４６】
また本発明に係る情報提供システム（２）は、上記情報提供装置（２）又は（４）と、
上記端末装置（３）又は（４）とを含んで構成されていることを特徴としている。
上記情報提供システム（２）によれば、上記情報提供装置（２）又は（４）と、上記端
末装置（３）又は（４）とを含んで構成されているので、上記情報提供装置（２）、（４
）における上記した効果と、上記端末装置（３）、（４）における上記した効果とを有す
る、すなわち、ユーザにとってより理想的な地図データを提供することができ、ユーザ側
の利便性が高められた情報提供システムを構築することができる。
【００４７】
また本発明に係る情報提供方法（１）は、情報提供装置からネットワークを介して地図
データを端末装置へ提供する情報提供方法であって、前記端末装置が、前記情報提供装置
に対して、当該端末装置に関する情報を含むユーザ情報の登録を要求するステップと、前
記情報提供装置が、前記端末装置から、該端末装置に関する情報を含むユーザ情報の登録
を受け付けた場合、該ユーザ情報をユーザ情報記憶手段に記憶するステップと、前記端末
装置が、前記情報提供装置に対して、所望の地図データを要求するステップと、前記情報
提供装置が、前記ユーザ情報記憶手段に登録されている端末装置から、地図データの要求
を受け付けた場合、地図データ記憶手段に記憶されている各種端末装置での表示に対応可
能な基準地図データを前記端末装置の仕様に対応させた地図データに加工するステップと
、該加工された地図デ−タを前記端末装置へ送信するステップと、前記端末情報が、前記
情報提供装置から送信されてくる、当該端末装置の仕様に対応した地図データを受信する
ステップとを含んでいることを特徴としている。
【００４８】
上記情報提供方法（１）によれば、登録済のユーザの端末装置から、地図データの要求
を受け付けた場合、前記ユーザ情報から前記ユーザの端末装置に関する情報を把握し、該
表示部に関する情報に基づいて、前記基準地図データを前記、前記端示装置の仕様に対応
させた地図データに加工することができる。したがって、前記端末装置に関する情報を含
む前記ユーザ情報を登録しておくことで、地図データの要求を受け付けた場合に、製品の
仕様が異なる各種端末装置に対して、これら各端末装置の仕様に合わせた地図データを提
供することができ、どのような端末装置に対しても、ユーザの見やすい地図を提供するこ
とができる。
【００４９】
また、ユーザは、各種端末装置で利用する地図データを取得するために、それぞれ別々
の地図データ提供サーバを検索してアクセスを繰り返すといった手間が必要なくなり、ユ
ーザの利便性を向上させることができる。また、各種端末装置での表示に対応可能な基準
地図データをベースに使用しているので、前記各種端末装置に対して、ベースが共通して
いる地図データを提供することができ、各種端末装置間で統一性のある見やすい地図デー
タの提供を行うことができる。
【００５０】
また本発明に係る情報提供方法（２）は、情報提供装置からネットワークを介して地図
データを端末装置へ提供する情報提供方法であって、前記端末装置が、前記情報提供装置
に対して、当該端末装置に関する情報を入力するとともに、所望の地図データを要求する
ステップと、前記情報提供装置が、前記端末装置から、該端末装置に関する入力情報とと
もに、所望の地図データの要求を受け付けた場合、地図データ記憶手段に記憶されている
各種端末装置での表示に対応可能な基準地図データを前記端末装置の仕様に対応させた地
図データに加工するステップと、該加工された地図デ−タを前記端末装置へ送信するステ
ップと、前記端末装置が、前記情報提供装置から送信されてくる、当該端末装置の仕様に
対応した地図データを受信するステップとを含んでいることを特徴としている。
【００５１】
上記情報提供方法（２）によれば、前記端末装置から、所望の地図データの要求を受け
付けた場合、該要求とともに送信されてくる前記端末装置に関する入力情報に基づいて、
前記基準地図データを前記端末装置の仕様に対応させた地図データに加工することができ
る。すなわち、製品の仕様が異なる各種端末装置に対して、これら各端末装置の仕様に合
わせた地図データを提供することができ、どのような端末装置に対しても、ユーザの見や
すい地図を提供することができる。
【００５２】
また、ユーザは、各種端末装置で利用する地図データを取得するために、それぞれ別々
の地図データ提供サーバを検索してアクセスを繰り返すといった手間が必要なくなり、ユ
ーザの利便性を向上させることができる。また、各種端末装置での表示に対応可能な基準
地図データをベースに使用しているので、前記各種端末装置に対して、ベースが共通して
いる地図データを提供することができ、各種端末装置間で統一性のある見やすい地図デー
タの提供を行うことができる。
【発明を実施するための最良の形態】
【００５３】
以下、本発明に係る情報提供装置、端末装置、情報提供システム、及び情報提供方法の
実施の形態を図面に基づいて説明する。図１は、実施の形態（１）に係る情報提供システ
ムの要部を概略的に示したブロック図である。
【００５４】
図中１は、携帯端末を示しており、携帯端末１は、マイコン２と、インターネットなど
のネットワーク１２との接続を可能にする通信部３と、入力操作するための入力部４と、
小型のディスプレイ５ａを有した表示部５とを含んで構成されている。携帯端末１は、通
信部３を用いて基地局１１を介し、ネットワーク１２に接続することができ、ネットワー
ク１２に接続されているサーバ（情報提供装置）２１との間で情報のやり取りを行うこと
ができるようになっている。
【００５５】
図中３１は、車載用のナビゲーション装置を示しており、ナビゲーション装置３１は、
マイコン３２と、ネットワーク１２との接続を可能にする通信部３３と、入力操作するた
めの入力部３４と、携帯端末１より大きなディスプレイ３５ａを有した表示部３５と、ナ
ビゲーション機能を実現するための地図データや施設データが記憶された地図データベー
ス３６と、ＧＰＳなどを含む自車位置を検出する自車位置検出部３７とを含んで構成され
ている。
【００５６】
マイコン３２内のＲＯＭ（図示せず）には、目的地の検索機能、目的地までのルート探
索機能、及び設定された目的地までの経路を案内する経路案内機能などのナビゲーション
機能を実現するためのプログラムが格納されており、マイコン３２内のＲＡＭ（図示せず
）には、目的地設定や走行ルートの履歴情報が記憶されるように構成されている。また、
ナビゲーション装置３１は、通信部３３を用いて基地局１１を介し、ネットワーク１２に
接続することができ、ネットワーク１２に接続されているサーバ２１との間で情報のやり
取りを行うことができるようになっている。
【００５７】
図中４１は、パソコンを示しており、パソコン４１は、マイコン４２と、ネットワーク
１２との接続を可能にする通信部４３と、入力操作するための入力部４４と、ナビゲーシ
ョン装置３１より大きなディスプレイ４５ａを有した表示部４５とを含んで構成されてい
る。パソコン４１は、通信部４３を用いて、ネットワーク１２に接続することができ、ネ
ットワーク１２に接続されているサーバ２１との間で情報のやり取りを行うことができる
ようになっている。
【００５８】
携帯端末１、ナビゲーション装置３１、及びパソコン４１の各マイコン２、３２、４２
には、サーバ２１に対して、当該端末の表示部の仕様に関する情報を含むユーザ情報の登
録を要求する登録要求手段と、サーバ２１に対して、所望の地図データを要求する地図要
求手段と、該地図要求手段による要求に対してサーバ２１から送信されてくる、当該端末
の表示部の仕様に合わせて加工された地図データを受信する地図データ受信手段と（いず
れも図示せず）が装備されている。以下、これら携帯端末１、ナビゲーション装置３１、
パソコン４１を総称してユーザ端末と記す。なお、ユーザ端末の対象には、携帯端末１、
ナビゲーション装置３１、パソコン４１などの製品形態の異なる端末装置だけでなく、同
一製品形態における製品仕様の異なる端末装置も含まれる。
【００５９】
サーバ２１は、マイコン２２と、ネットワーク１２と接続するための通信部２３と、製
品形態や仕様の異なる各種ユーザ端末（すなわち、携帯端末１、ナビゲーション装置３１
、パソコン４１等）での表示に対応可能な詳細な地図情報が含まれている基準地図データ
や地図上に表示させる施設に関する施設情報などが記憶された地図データベース２４と、
各ユーザ端末からの登録が受け付けられたユーザ情報が記憶されるユーザ情報データベー
ス２５とを含んで構成されている。
【００６０】
マイコン２２は、各ユーザ端末から、ユーザ端末の表示部の仕様に関する情報（ディス
プレイのサイズ、表示画素数、表示色等に関する情報）を含むユーザ情報の登録を受け付
ける登録受付手段２２ａと、各ユーザ端末から、地図データの加工条件の設定変更を受け
付ける設定変更受付手段２２ｂと、ユーザ情報データベース２５に登録されているユーザ
端末から、地図データの要求を受け付けた場合、前記基準地図データをユーザ端末の表示
部の仕様、及び／又は地図データの加工条件の設定変更に対応させた地図データに加工す
る地図データ加工手段２２ｃと、地図データ加工手段２２ｃにより加工された地図デ−タ
を、地図データを要求してきたユーザ端末へ送信する地図データ送信手段２２ｄとを含ん
で構成されている。
【００６１】
また、マイコン２２内のメモリ２２ｅには、各ユーザ端末の表示部の仕様、すなわちデ
ィスプレイのサイズ毎に、基準地図データの加工条件（地図上に表示させる文字、記号、
建物、施設などの表示物の種類、表示させる表示物や地図背景の色、表示データの間引き
条件など）が設定された情報が記憶されており、地図データ加工手段２２ｃによる基準地
図データの加工処理の際に使用されるようになっている。
【００６２】
次に実施の形態（１）に係る情報提供システムにおけるナビゲーション装置３１のマイ
コン３２とサーバ２１のマイコン２２とで行われるユーザ登録処理動作について、図２に
示したフロ−チャ−トに基づいて説明する。
【００６３】
まず、ナビゲーション装置３１（のマイコン３２）は、入力部３４からの入力操作に基
づいて通信部３３を制御して、ネットワーク１２に接続し、サーバ２１にアクセスする（
ステップＳ１）。例えば、マイコン３２内に格納されているブラウザを起動し、サーバ２
１のアドレスを指定した後、ネットワーク１２への接続処理を行う。
【００６４】
サーバ２１（のマイコン２２）は、ナビゲーション装置３１からのアクセスを検出する
と（ステップＳ２）、アクセスが検出されたナビゲーション装置３１に対して、ユーザ登
録画面を表示させるための情報を送信する（ステップＳ３）。
【００６５】
ナビゲーション装置３１（のマイコン３２）は、サーバ２１から送信されてきたユーザ
登録画面情報を受信すると（ステップＳ４）、図３に示したような「ユーザ登録設定」画
面を表示部３５に表示する（ステップＳ５）。この「ユーザ登録設定」画面を通じて、ユ
ーザは、ユーザ名と、ユーザＩＤと、パスワードと、ナビゲーション装置３１の表示部３
５の仕様（ディスプレイのサイズ、カラー対応か否か等）に関する情報とを入力すること
ができるようになっている。
【００６６】
次に、「ユーザ登録設定」画面において、各項目の入力後に完了ボタンの入力があった
か否かを判断し（ステップＳ６）、完了ボタンの入力があったと判断すれば、入力された
ユーザ登録情報をサーバ２１へ送信する（ステップＳ７）。
【００６７】
サーバ２１（のマイコン２２）は、ナビゲーション装置３１から送信されてきたユーザ
登録情報を受信すると（ステップＳ８）、受信したユーザ登録情報をユーザ情報データベ
ース２５に登録する処理を行い（ステップＳ９）、その後ユーザ登録が完了したことを通
知するための情報をナビゲーション装置３１へ送信する（ステップＳ１０）。
【００６８】
ナビゲーション装置３１（のマイコン３２）は、ユーザ登録完了の通知を受信すると（
ステップＳ１１）、図４に示したような「ユーザ登録完了通知」画面を表示部３５へ表示
して（ステップＳ１２）、ユーザ登録が完了したことをナビゲーション装置３１のユーザ
に知らせて、その後処理を終える。
【００６９】
なお、携帯端末１とサーバ２１との間、及びパソコン４１とサーバ２１との間において
も、上記と同様な処理動作により、携帯端末１やパソコン４１のユーザ登録が行われるよ
うに構成されている。
【００７０】
次に実施の形態（１）に係る情報提供システムにおけるナビゲーション装置３１のマイ
コン３２とサーバ２１のマイコン２２とで行われる地図要求・提供処理動作を図５−１、
図５−２、図５−３に示したフロ−チャ−トに基づいて説明する。
【００７１】
まず、ナビゲーション装置３１（のマイコン３２）は、入力部３４からの入力操作に基
づいて通信部３３を制御して、ネットワーク１２に接続し、サーバ２１にアクセスする（
ステップＳ２１）。例えば、マイコン３２内に格納されているブラウザを起動し、サーバ
２１のアドレスを指定した後、ネットワーク１２への接続処理を行う。
【００７２】
サーバ２１（のマイコン２２）は、ナビゲーション装置３１からのアクセスを検出する
と（ステップＳ２２）、アクセスが検出されたナビゲーション装置３１に対して、ログイ
ン画面を表示させるための情報を送信する（ステップＳ２３）。
【００７３】
ナビゲーション装置３１（のマイコン３２）は、サーバ２１から送信されてきたログイ
ン画面情報を受信すると（ステップＳ２４）、図６に示したような「ログイン」画面を表
示部３５に表示して（ステップＳ２５）、ユーザＩＤとパスワードとの入力を受け付ける
。                                                                              
【００７４】
次に、「ログイン」画面において、ユーザＩＤとパスワードとの入力後に完了ボタンの
入力があったか否かを判断し（ステップＳ２６）、完了ボタンの入力があったと判断すれ
ば、入力されたログイン情報をサーバ２１へ送信する（ステップＳ２７）。
【００７５】
サーバ２１（のマイコン２２）は、ナビゲーション装置３１から送信されてきたログイ
ン情報を受信すると（ステップＳ２８）、受信したログイン情報と、ユーザ情報データベ
ース２５に登録されているユーザ情報とを照合し（ステップＳ２９）、登録済か否かを判
断し（ステップＳ３０）、未登録と判断すれば、未登録時の処理（再入力画面の情報をナ
ビゲーション装置３１へ送信する等）へ進む一方、登録済と判断すれば、地図要求受付画
面を表示させるための情報をナビゲーション装置３１へ送信する（ステップＳ３１）。
【００７６】
ナビゲーション装置３１（のマイコン３２）は、サーバ２１から送信されてきた地図要
求受付画面情報を受信すると（ステップＳ３２）、図７（ａ）に示したような「地図要求
受付設定」画面を表示部３５へ表示して（ステップＳ３３）、ユーザが要求する地図の条
件入力を受け付ける。
【００７７】
ユーザは、この「地図要求受付設定」画面、「ユーザ条件設定」画面（図７（ｂ））を
通じて、ユーザが取得を希望する地図の地域や地点の設定、及び地図に表示させる施設、
建物、文字、記号情報などの表示物の設定、施設情報が必要な施設の設定、道路や施設な
どの表示物の色の設定、ナビゲーション装置３１に記憶されている目的地履歴や走行履歴
を地図に反映させるか否か等の地図データの加工条件のユーザ設定を行うことができるよ
うになっている。なお、図７（ｂ）には示してないが、前記地図に表示される表示物の色
の設定条件として、地図データベース２４に記憶されている施設情報を利用して、施設や
建物の営業時間によって施設や建物の色を変化させる（例えば、営業時間内と営業時間外
とが識別できるように色を変化させる）ための設定条件を設けることもできる。
【００７８】
次に、この「地図要求受付」画面を通じて入力部３４が操作され、ユーザによって地図
要求事項の入力完了（完了ボタンの入力）が指示されると（ステップＳ３４）、入力され
た地図要求受付情報をサーバ２１へ送信する（ステップＳ３５）。
【００７９】
サーバ２１（のマイコン２２）は、ナビゲーション装置３１から送信されてきた地図要
求受付情報を受信すると（ステップＳ３６）、ナビゲーション装置３１のユーザ情報と、
ＲＯＭに記憶されている基準地図データの加工条件と、地図要求受付情報とに基づいて、
ユーザが要求した地域又は地点に該当する基準地図データを加工する処理を行い（ステッ
プＳ３７）、その後、加工された地図データをナビゲーション装置３１へ送信する（ステ
ップＳ３８）。なお、基準地図データの加工処理については、図９に示したフローチャー
トに基づいて後で詳しく説明する。
【００８０】
ナビゲーション装置３１（のマイコン３２）は、サーバ２１から送信されてきた地図デ
ータを受信すると（ステップＳ３９）、受信した地図データ（すなわち、ナビゲーション
装置３１の表示部３５の仕様とユーザの要望とに応じて加工された地図データ）を表示部
３５へ表示する（ステップＳ４０）。
【００８１】
次に、受信した地図データを地図データベース２４に記憶させる指示があったか否かを
判断し（ステップＳ４１）、記憶指示があったと判断すれば、受信した地図データを地図
データベース２４に記憶する処理を行い（ステップＳ４２）、ログアウトの指示があった
か否かを判断し（ステップＳ４３）、ログアウトの指示がなかったと判断すればステップ
Ｓ４１に戻る一方、ログアウトの指示があったと判断すれば、ログアウト情報をサーバ２
１へ送信する（ステップＳ４４）。
【００８２】
サーバ２１（のマイコン２２）は、ナビゲーション装置３１から送信されてきたログア
ウト情報を受信すると（ステップＳ４５）、ログアウト完了画面を表示させるための情報
をナビゲーション装置３１へ送信する（ステップＳ４６）。
【００８３】
ナビゲーション装置３１（のマイコン３２）では、ログアウト完了画面情報を受信する
と（ステップＳ４７）、ログアウト完了画面を表示して（ステップＳ４８）、その後処理
を終える。一方、ステップＳ４１において、受信した地図データを地図データベース２４
に記憶させる指示がなかったと判断すれば、地図の設定変更要求の指示があったか否かを
判断し（ステップＳ４９）、地図の設定変更要求の指示がなかったと判断すれば、ステッ
プＳ４１に戻る一方、地図の設定変更要求の指示があったと判断すれば、図８に示したよ
うな「地図の設定変更要求」画面を表示部３５に表示して（ステップＳ５０）、地図の設
定変更条件の入力を受け付ける。ユーザは、この「地図の設定変更要求」画面を通じて、
地図に表示させる施設、建物、文字、記号情報などの表示物の設定、施設情報が必要な施
設の設定、道路や施設などの表示物の色の設定、ナビゲーション装置３１に記憶されてい
る目的地履歴や走行履歴を地図に反映させるか否か等の地図データの加工条件のユーザ設
定を行うことができるようになっている。
【００８４】
次に、この「地図の設定変更要求」画面を通じて入力部３４が操作され、ユーザによっ
て設定変更事項の入力完了（完了ボタンの入力）が指示されると（ステップＳ５１）、入
力された地図の設定変更要求情報をサーバ２１へ送信する（ステップＳ５２）。
【００８５】
サーバ２１（のマイコン２２）は、ナビゲーション装置３１から送信されてきた地図の
設定変更情報を受信すると（ステップＳ５３）、受信した地図の設定変更情報を、ナビゲ
ーション装置３１のユーザ情報と関連付けて、ユーザ情報データベース２５に登録する処
理を行い（ステップＳ５４）、受信した地図の設定変更情報に基づいて、ステップＳ３７
で加工された地図データをさらに加工する処理を行い（ステップＳ５５）、さらに加工さ
れた地図データをナビゲーション装置３１へ送信する（ステップＳ５６）。
【００８６】
ナビゲーション装置３１では、サーバ２１から送信されてきた追加加工地図データを受
信すると（ステップＳ５７）、受信した地図データを表示部３５に表示して（ステップＳ
５８）、ステップＳ４１へ戻る。
【００８７】
なお、携帯端末１とサーバ２１との間、及びパソコン４１とサーバ２１との間において
も、上記と同様な処理動作により、携帯端末１やパソコン４１に対応させた地図要求・提
供処理が行われるように構成されている。
【００８８】
次に実施の形態（１）に係る情報提供システムにおけるサーバ２１のマイコン２２で行
われる「地図データの加工処理」（図５−１のステップＳ３７）を図９に示したフロ−チ
ャ−トに基づいて説明する。
【００８９】
まず、ユーザ情報データベース２５から、ナビゲーション装置３１に該当するユーザ情
報を読み出し（ステップＳ６１）、次に、メモリ２２ｅに記憶されている基準地図データ
の加工条件の中から、ユーザ情報（すなわち、ナビゲーション装置３１の表示部３５の仕
様）に対応する基準地図データの加工条件を抽出する（ステップＳ６２）。次に、地図要
求受付情報に含まれる要求地図の地域・地点情報をキーにして、地図データベース２４か
らユーザが要求した地域又は地点に該当する基準地図データを読み出し（ステップＳ６３
）、次に、ナビゲーション装置３１の表示部３５の仕様に対応する基準地図データの加工
条件と、地図要求受付情報に含まれる地図データの加工条件の設定情報（ユーザ設定条件
）とに基づいて、ステップＳ６３で読み出された基準地図データを加工する（ステップＳ
６４）、すなわち、地図上に表示させる文字、記号、建物、施設などの表示物の種類、表
示させる表示物や地図背景の色を設定に合わせて変更したり、ディスプレイのサイズに合
わせた間引き処理等を行って、加工した後、処理を終え、ステップＳ３８へ進む。
【００９０】
上記実施の形態（１）に係る情報提供システムによれば、サーバ２１によって、各ユー
ザ端末から受け付けた、該ユーザ端末の表示部の仕様に関する情報を含むユーザ情報が、
ユーザ情報データベース２５に登録され、該登録されているユーザ端末から、地図データ
の要求を受け付けた場合、地図データ加工手段２２ｄにより、地図データベース２４に記
憶された基準地図データがユーザ端末の表示部の仕様に対応させた地図データに加工され
、該加工された地図デ−タが、地図を要求してきたユーザ端末へ送信される。
【００９１】
前記ユーザ情報には、ユーザ端末の表示部の仕様に関する情報（例えば、画面サイズ、
表示画素数、表示可能色などの情報）が含まれているので、登録済のユーザ端末から、地
図データの要求を受け付けた場合、前記ユーザ情報から当該ユーザ端末の表示部の仕様に
関する情報を把握することができ、該表示部に仕様に関する情報に基づいて、基準地図デ
ータを前記表示部の仕様に対応させた地図データに加工することができる。したがって、
製品の表示部の仕様が異なる各種ユーザ端末に対して、各端末装置の表示部の仕様に合わ
せた地図データを提供することができ、どのような端末装置に対しても、ユーザの見やす
い地図を提供することができる。
【００９２】
例えば、小型のディスプレイ５ａが装備された携帯端末１からの地図データの要求に対
しては、小さな画面に適し、かつ、携帯時にユーザにとって必要性が低い情報が省略され
、必要性が高い表示物や道路が優先的に表示される地図データを提供することができる。
また、中型のディスプレイ３５ａが装備されたナビゲーション装置３１からの地図データ
の要求に対しては、ナビゲーションの画面に適し、かつ、車両乗車時にユーザにとって必
要性が低い情報が省略され、必要性が高い表示物や道路が優先的に表示される地図データ
を提供することができる。また、大型のディスプレイ４５ａを備えたパソコン４１からの
地図データの要求に対しては、大きな画面に適し、かつ詳細情報が盛り込まれた地図デー
タを提供することができる。
【００９３】
したがって、ユーザは、製品形態や仕様の異なる各種ユーザ端末で利用する地図データ
を取得するために、それぞれ別々の地図データ提供サーバを検索してアクセスを繰り返す
といった手間が必要なくなり、すなわち、サーバ２１にアクセスすれば、いずれのユーザ
端末にも対応した地図データの提供を受けることができ、ユーザの利便性を向上させるこ
とができる。また、各種ユーザ装置での表示に対応可能な基準地図データをベースに使用
しているので、各種ユーザ端末に対して、ベースが共通している地図データを提供するこ
とができ、製品形態や仕様の異なる複数のユーザ端末で地図データを利用するユーザにと
っては、各ユーザ端末間で統一性のある見やすい地図データの提供を受けることが可能に
なる。
【００９４】
なお、上記実施の形態（１）に係る情報提供システムでは、予めユーザ情報（すなわち
、ユーザ端末の表示部の仕様に関する情報）をサーバ２１側に登録するようになっている
が、別の実施の形態では、ユーザ端末の表示部の仕様に関する情報をサーバ２１側に予め
登録しておくのではなく（すなわち、ユーザ情報ＤＢ２５を設けることなく）、ユーザが
地図を要求するときに、ユーザ端末の表示部の仕様に関する情報をサーバ側に送信して、
サーバ側で、ユーザ端末から送信されてくる該ユーザ端末の表示部の仕様に関する情報に
基づいて、基準地図データを前記表示部の仕様に対応させた地図データに加工させる構成
としてもよい。
【００９５】
また、上記実施の形態（１）では、図３に示した「ユーザ登録設定」画面を通じて、ユ
ーザ名と、ユーザＩＤと、パスワードと、ナビゲーション装置３１の表示部３５の仕様に
関する情報とを入力することができるようになっているが、別の実施の形態では、さらに
、図８に示したような地図データの加工条件のユーザ設定も同時に行えるようにして、こ
れらの地図データの加工条件もユーザ情報として登録される構成としてもよい。
【００９６】
図１０は、実施の形態（２）に係る情報提供システムの要部を概略的に示したブロック
図である。但し実施の形態（２）に係る情報提供システムの構成については、サーバ２１
Ａの構成と、各ユーザ端末１Ａ、３１Ａ、４１Ａのマイコン２Ａ、３２Ａ、４２Ａの機能
と、端末情報サーバ５１とを除いて図１に示した情報提供システムと略同様であるため、
異なる機能を有するサーバ２１Ａの各部と、各ユーザ端末１Ａ、３１Ａ、４１Ａのマイコ
ン２Ａ、３２Ａ、４２Ａと、端末情報サーバ５１とには異なる符号を付し、その他の構成
部品には同一符号を付し、その説明を省略する。
【００９７】
実施の形態（２）に係る情報提供システムと、実施の形態（１）に係る情報提供システ
ムとでは、サーバ２１Ａのユーザ情報データベース２５Ａに登録されるユーザ情報の内容
が異なっており、実施の形態（２）では、ユーザ情報に、ユーザ端末の表示部の仕様に関
する情報ではなく、ユーザ端末の機種名情報が含まれるようになっている。
【００９８】
ユーザ情報データベース２５Ａに登録されるユーザ情報の相違に基づき、サーバ２１Ａ
には、各種ユーザ端末の機種名と、製品形態（携帯電話、ＰＤＡ、ナビゲーション装置、
パソコン等）を識別するための情報とを含む端末情報が記憶された端末情報データベース
２６が設けられている。
【００９９】
サーバ２１Ａのマイコン２２Ａは、各ユーザ端末から、ユーザ端末の機種名を含むユー
ザ情報の登録を受け付ける登録受付手段２２ａ’と、各ユーザ端末から、地図データの加
工条件の設定変更を受け付ける設定変更受付手段２２ｂと、ユーザ情報データベース２５
Ａに登録されているユーザ端末から、地図データの要求を受け付けた場合、前記ユーザ端
末に該当する端末情報を端末情報データベース２６から抽出する端末情報抽出手段２２ｆ
と、抽出されたユーザ端末に該当する端末情報に基づいて、前記基準地図データをユーザ
端末に対応させた地図に加工する地図データ加工手段２２ｃ’と、地図データ加工手段２
２ｃ’により加工された地図デ−タを、地図データを要求してきたユーザ端末へ送信する
地図データ送信手段２２ｄとを備えている。
【０１００】
また、マイコン２２Ａ内のメモリ２２ｅ’には、各ユーザ端末の製品形態別、すなわち
携帯電話、ＰＤＡ、ナビゲーション装置、パソコン等の端末の製品形態毎に、基準地図デ
ータの加工条件（地図上に表示させる文字、記号、建物、施設などの表示物の種類、表示
させる表示物や地図背景の色、表示データの間引き条件など）が設定された情報が記憶さ
れており、地図データ加工手段２２ｃ’による基準地図データの加工処理の際に使用され
るようになっている。さらに、携帯電話、ナビゲーション装置、ＰＤＡ、パソコンという
製品形態を、ディスプレイの大きさ等に応じて細かく分類し、各分類毎に、基準地図デー
タの加工条件を設定するようにしてもよい。
【０１０１】
また、端末情報サーバ５１は、端末メーカー各社の最新機種情報（発売日、メーカ名、
機種名、表示部３５の仕様、製品種別、その他の仕様）が収集されている端末データベー
ス５２と、ネットワーク１２との接続を可能にする通信部（図示せず）と、マイコン（図
示せず）とを有しており、ネットワーク１２に接続されている。サーバ２１Ａは、端末情
報サーバ５１から定期的に最新機種情報を入手して、端末情報データベース２６の情報を
更新するように構成されている。
【０１０２】
次に実施の形態（２）に係る情報提供システムにおけるサーバ２１Ａと端末情報サーバ
５１との間で行われる端末情報更新処理動作を図１１に示したフロ−チャ−トに基づいて
説明する。なお、本処理動作は、所定期間毎（例えば２４時間毎）に繰り返し実行される
。
【０１０３】
まず、サーバ２１Ａ（のマイコン２２Ａ）は、端末情報の更新タイミングになったか否
かを判断し（ステップＳ７１）、更新タイミングになったと判断すれば、通信部２３を使
用して更新情報（最新の端末機種情報）の転送を端末情報サーバ５１に対して要求する（
ステップＳ７２）。
【０１０４】
端末情報サーバ５１（のマイコン）は、サーバ２１Ａから送信されてきた更新情報の転
送要求を受信すると（ステップＳ７３）、端末データベース５２を検索して、前回からの
更新情報を抽出し（ステップＳ７４）、抽出された更新情報（最新の端末機種情報）をサ
ーバ２１Ａへ送信する（ステップＳ７５）。なお、更新情報がない場合は、更新情報がな
い旨の情報を送信する。
【０１０５】
サーバ２１Ａ（のマイコン２２Ａ）は、端末情報サーバ５１から送信されてきた更新情
報を受信すると（ステップＳ７６）、受信した更新情報を端末情報データベース２６に登
録する処理を行い（ステップＳ７７）、その後処理を終える。
【０１０６】
また、実施の形態（２）に係る情報提供システムにおけるナビゲーション装置３１Ａの
マイコン３２Ａとサーバ２１Ａのマイコン２２Ａとで行われるユーザ登録処理動作につい
ては、サーバ２１Ａ（のマイコン２２Ａ）からナビゲーション装置３１Ａに対して送信さ
れる、ユーザ登録画面を表示させるための情報、すなわち、ナビゲーション装置３１Ａの
表示部３５に表示される「ユーザ登録設定」画面の構成が、図１２に示したように、表示
部３５の仕様に代えて、ユーザ端末の機種名を入力するように構成されている点を除いて
、同様な処理動作で行われるので、ここではその説明を省略する。
【０１０７】
また、実施の形態（２）に係る情報提供システムにおけるナビゲーション装置３１Ａの
マイコン３２Ａとサーバ２１Ａのマイコン２２Ａとで行われる地図要求・提供処理動作に
ついては、図５−１に示したステップＳ３７の基準地図データの加工処理を除いて、略同
様な処理動作であるので、ここでは、基準地図データの加工処理についてのみ説明するこ
ととする。
【０１０８】
図１３は、実施の形態（２）に係る情報提供システムにおけるサーバ２１Ａのマイコン
２２Ａで行われる「地図データの加工処理」を示したフロ−チャ−トである。
まず、ユーザ情報データベース２５Ａから、ナビゲーション装置３１Ａに該当するユー
ザ情報（機種名）を読み出し（ステップＳ８１）、次に、読み出したユーザ情報（機種名
）を検索キーとして、端末情報データベース２６を検索して、ナビゲーション装置３１Ａ
の機種名に該当する端末情報を抽出する（ステップＳ８２）。
【０１０９】
次に、抽出された端末情報に含まれている製品形態の識別情報を検索キーとして、メモ
リ２２ｅ’に記憶されている基準地図データの加工条件の中から、製品形態、この場合、
ナビゲーション装置に対応する基準地図データの加工条件を抽出する（ステップＳ８３）
。
【０１１０】
次に、地図要求受付情報に含まれる要求地図の地域・地点情報をキーにして、地図デー
タベース２４からユーザが要求した地域又は地点に該当する基準地図データを読み出し（
ステップＳ８４）、製品形態（この場合、ナビゲーション装置）に対応する基準地図デー
タの加工条件と、地図要求受付情報に含まれる地図データの加工条件の設定情報（ユーザ
設定条件）とに基づいて、ステップＳ８４で読み出された基準地図データを加工して（ス
テップＳ８５）、その後処理を終える。
【０１１１】
なお、携帯端末１Ａとサーバ２１Ａとの間、及びパソコン４１Ａとサーバ２１Ａとの間
においても、上記と同様な処理動作により、携帯端末１やパソコン４１といった製品形態
にそれぞれ対応させた地図データの加工が行われるように構成されている。
【０１１２】
上記実施の形態（２）に係る情報提供システムによれば、サーバ２１Ａによって、各ユ
ーザ端末から受け付けた、該ユーザ端末の機種名を含むユーザ情報が、ユーザ情報データ
ベース２５Ａに登録され、該登録されているユーザ端末（例えば、ナビゲーション装置３
１Ａ）から、地図データの要求を受け付けた場合、ナビゲーション装置３１Ａに該当する
端末情報が端末情報データベース２６から抽出され、該抽出されたナビゲーション装置３
１に該当する端末情報に基づいて、地図データベース２４に記憶されている基準地図デー
タがナビゲーション装置３１（機種名まで考慮）に対応させた地図データに加工され、該
加工された地図デ−タがナビゲーション装置３１へ送信される。
【０１１３】
前記ユーザ情報には、ユーザ端末の機種名が含まれているので、登録済のユーザ端末か
ら、地図データの要求を受け付けた場合、前記ユーザ情報から当該端末の機種名を把握す
ることができ、該機種名に該当する端末情報を端末情報データベース２６から抽出するこ
とができ、抽出された端末情報（機種名及び製品形態の識別情報等）に基づいて、基準地
図データをユーザ端末に対応させた地図データに加工することができる。したがって、ユ
ーザ端末の機種名を含むユーザ情報を登録しておくことで、製品形態や仕様が異なる各種
ユーザ端末に対して、これら各ユーザ端末の機種に合わせた地図データを提供することが
でき、どのようなユーザ端末に対しても、ユーザの見やすい地図を提供することができる
。
【０１１４】
また、ユーザは、各種ユーザ端末で利用する地図データを取得するために、それぞれ別
々の地図データ提供サーバを検索してアクセスを繰り返すといった手間が必要なくなり、
すなわち、サーバ２１Ａにアクセスすれば、いずれのユーザ端末にも対応した地図データ
の提供を受けることができ、ユーザの利便性を向上させることができる。また、各種ユー
ザ端末での表示に対応可能な基準地図データをベースに使用しているので、各種ユーザ端
末に対して、ベースが共通している地図データを提供することができ、各種ユーザ端末間
で統一性のある見やすい地図データの提供を行うことができる。
【０１１５】
なお、上記実施の形態（２）に係る情報提供システムでは、予めユーザ情報（すなわち
、ユーザ端末の機種名の情報）をサーバ２１Ａ側に登録するようになっているが、別の実
施の形態では、ユーザ端末の機種名の情報をサーバ２１Ａ側に予め登録しておくのではな
く（すなわち、ユーザ情報ＤＢ２５Ａを設けることなく）、ユーザが地図を要求するとき
に、ユーザ端末の機種名の情報をサーバ側に送信して、サーバ側で、ユーザ端末から送信
されてくる該ユーザ端末の機種名をキーとして、端末情報データベース２６から機種名に
該当する端末情報を抽出し、抽出された端末情報（端末の製品形態様等）に基づいて、基
準地図データを、地図を要求してきたユーザ端末の製品形態や仕様に対応させた地図デー
タに加工させる構成としてもよい。
【図面の簡単な説明】
【０１１６】
【図１】本発明の実施の形態（１）に係る情報提供システムの要部を概略的に示したブロック図である。
【図２】実施の形態（１）に係る情報提供システムにおけるナビゲーション装置のマイコンとサーバのマイコンとで行われるユーザ登録処理動作を示したフローチャートである。
【図３】ナビゲーション装置の表示部に表示される「ユーザ登録」画面の表示例を示した図である。
【図４】ナビゲーション装置の表示部に表示される「ユーザ登録完了通知」画面の表示例を示した図である。
【図５−１】実施の形態（１）に係る情報提供システムにおけるナビゲーション装置のマイコンとサーバのマイコンとで行われる地図要求・提供処理動作を示したフロ−チャ−トである。
【図５−２】実施の形態（１）に係る情報提供システムにおけるナビゲーション装置のマイコンとサーバのマイコンとで行われる地図要求・提供処理動作を示したフロ−チャ−トである。
【図５−３】実施の形態（１）に係る情報提供システムにおけるナビゲーション装置のマイコンとサーバのマイコンとで行われる地図要求・提供処理動作を示したフロ−チャ−トである。
【図６】ナビゲーション装置の表示部に表示される「ログイン」画面の表示例を示した図である。
【図７】ナビゲーション装置の表示部に表示される「地図要求受付」画面の表示例を示した図である。
【図８】ナビゲーション装置の表示部に表示される「地図の設定変更要求」画面の表示例を示した図である。
【図９】実施の形態（１）に係る情報提供システムにおけるサーバのマイコンで行われる「地図データの加工処理」を示したフロ−チャ−トである。
【図１０】実施の形態（２）に係る情報提供システムの要部を概略的に示したブロック図である。
【図１１】実施の形態（２）に係る情報提供システムにおけるサーバと端末情報サーバとの間で行われる端末情報更新処理動作を示したフロ−チャ−トである。
【図１２】ナビゲーション装置の表示部に表示される「ユーザ登録」画面の表示例を示した図である。
【図１３】実施の形態（２）に係る情報提供システムにおけるサーバのマイコンで行われる「地図データの加工処理」を示したフロ−チャ−トである。
【符号の説明】
【０１１７】
１、１Ａ  携帯端末
２１、２１Ａ  サーバ（情報提供装置）
２２、２２Ａ  マイコン
２２ａ、２２ａ’  登録受付手段
２２ｂ  設定変更受付手段
２２ｃ、２２ｃ’  地図データ加工手段
２２ｄ  地図データ送信手段
２２ｅ  メモリ
２２ｆ  端末情報抽出手段
２３  通信部
２４  地図データベース
２５、２５Ａ  ユーザ情報データベース  
３１、３１Ａ  ナビゲーション装置
４１、４１Ａ  パソコン
【図１】
2006323466.tif 000003
【図２】
2006323466.tif 000004
【図３】
2006323466.tif 000005
【図４】
2006323466.tif 000006
【図５−１】
2006323466.tif 000007
【図５−２】
2006323466.tif 000008
【図５−３】
2006323466.tif 000009
【図６】
2006323466.tif 000010
【図７】
2006323466.tif 000011
【図８】
2006323466.tif 000012
【図９】
2006323466.tif 000013
【図１０】
2006323466.tif 000014
【図１１】
2006323466.tif 000015
【図１２】
2006323466.tif 000016
【図１３】
2006323466.tif 000017